(57)【要約】【課題】本発明は疑似輪郭の発生を低減するプラズマディスプレイパネルの駆動装置及びその階調表現方法に関する。【解決手段】まず、各階調別にテスト映像を表示して、シミュレーションによって各列の平均階調値を計算して、各階調を疑似輪郭発生可能性程度によって複数の階調グループに分類する。このような複数の階調グループによって入力階調の変換を相異させて行う。この時、連続して入力される二つのフレームの階調値及びサブフィールドの発光パターンを比較して、疑似輪郭が発生するか否かを検出し、これにより前記階調グループに対応させて階調の変換を相異させて行う。ここで、入力映像信号の疑似輪郭発生可能性程度によって階調を変換するルックアップテーブルを相異させることによって、より一層精密に疑似輪郭の発生を低減させることができる。【選択図】図１
2005122175.tif 000002
【特許請求の範囲】
【請求項１】
入力映像信号に対応してプラズマディスプレイパネルに表示される各フィールドの映像を複数のサブフィールドに分け、前記複数のサブフィールドの組み合わせによって階調を表現して前記映像信号に対応する映像を表示するプラズマディスプレイパネルの駆動装置において、
現在入力されるフレームと直前のフレームとの階調値及びサブフィールドの発光パターンを比較して、疑似輪郭が発生するか否かを検出する疑似輪郭検出部と、
前記疑似輪郭検出部によって検出された入力映像信号の疑似輪郭発生程度の情報によって、予め有している複数の階調グループ別に前記入力映像信号の階調を相異するように変換する階調グループ部と、
前記階調グループ部から出力される映像信号の階調と前記入力映像信号の階調との差を前記階調グループ別に相異するように誤差拡散する誤差拡散部と、
を有することを特徴とする、プラズマディスプレイパネルの駆動装置。
【請求項２】
前記予め有している階調グループは、各階調テスト映像のシミュレーションによる疑似輪郭発生可能性程度によって複数のグループに分類されることを特徴とする、請求項１に記載のプラズマディスプレイパネルの駆動装置。
【請求項３】
前記階調グループ部は、前記階調グループ別に階調の変換を相異させて行うためのルックアップテーブルを相異させて有することを特徴とする、請求項２に記載のプラズマディスプレイパネルの駆動装置。
【請求項４】
前記ルックアップテーブルは、前記シミュレーションによる疑似輪郭発生可能性程度によって階調の変換を行うようにする情報を有することを特徴とする、請求項３に記載のプラズマディスプレイパネルの駆動装置。
【請求項５】
前記現在入力されるフレームの直前のフレームの映像信号データを保存するフレームメモリ部をさらに有することを特徴とする、請求項１に記載のプラズマディスプレイパネルの駆動装置。
【請求項６】
入力映像信号に対応してプラズマディスプレイパネルに表示される各フィールドの映像を複数のサブフィールドに分け、前記複数のサブフィールドの組み合わせによって階調を表現して前記映像信号に対応する映像を表示するプラズマディスプレイパネルの階調表現方法において、
（ａ）現在入力されるフレームと直前のフレームとの階調値及びサブフィールドの発光パターンを比較して、疑似輪郭が発生するか否かを検出する段階と、
（ｂ）前記段階（ａ）で検出された入力映像信号の疑似輪郭発生程度の情報によって、予め有している複数の階調グループ別に前記入力映像信号の階調を相異するように変換する段階と、
（ｃ）前記段階（ｂ）で出力される映像信号の階調と前記入力映像信号の階調との差を前記階調グループ別に相異するように誤差拡散する段階と、
を有することを特徴とする、プラズマディスプレイパネルの階調表現方法。
【請求項７】
前記予め有する階調グループは、各階調テスト映像のシミュレーションによる疑似輪郭発生可能性程度によって複数のグループに分類されることを特徴とする、請求項６に記載のプラズマディスプレイパネルの階調表現方法。
【請求項８】
前記段階（ｂ）での階調グループ別に疑似輪郭の発生を低減させるための階調の変換を行うルックアップ−テーブルを各々有していることを特徴とする、請求項６または請求項７に記載のプラズマディスプレイパネルの階調表現方法。
【請求項９】
前記段階（ｃ）で誤差拡散されて出力される映像信号データに対応するサブフィールドに変換する段階と、
前記サブフィールドの映像信号データに対応する映像が前記プラズマディスプレイパネルに表示されるように制御する段階と、
をさらに有することを特徴とする、請求項６に記載のプラズマディスプレイパネルの階調表現方法。
【発明の詳細な説明】
【技術分野】
【０００１】
本発明は、プラズマディスプレイパネル（ＰＤＰ）の駆動装置及びその階調表現方法に関し、特に、疑似輪郭の発生を低減するプラズマディスプレイパネルの駆動装置及びその階調表現方法に関する。
【背景技術】
【０００２】
最近、液晶表示装置（ＬＣＤ）、電界放出表示装置（ＦＥＤ）、プラズマディスプレイパネル（ＰＤＰ）などの平面表示装置が活発に開発されている。これらの平面表示装置の中でも、プラズマディスプレイパネルは、他の平面表示装置に比べて輝度及び発光効率が高くて視野角が広いという長所がある。従って、プラズマディスプレイパネルが、４０インチ以上の大型表示装置で従来の陰極線管（ＣＲＴ）に代替される表示装置として脚光を浴びている。
【０００３】
前記プラズマディスプレイパネルは、気体放電によって生成されたプラズマを使用して文字または映像を表示する平面表示装置であって、その大きさに応じて数十から数百万個以上の画素がマトリックス形態に配列されている。このようなプラズマディスプレイパネルは、印加される駆動電圧波形の形態及び放電セルの構造によって、直流型と交流形とに区分される。
【０００４】
前記直流型プラズマディスプレイパネルは、電極が絶縁されないまま放電空間に露出されていて電圧が印加される間は電流が放電空間に流れ続けるので、電流の制限のための抵抗を形成する必要があるという短所がある。これに対し、交流型プラズマディスプレイパネルは、電極を誘電体層が覆っていて自然な直列キャパシタンス成分の形成により電流が制限されて放電時にイオンの衝撃から電極が保護されるので、直流型ＰＤＰに比べて寿命が長いという長所がある。
【０００５】
図１５は交流型プラズマディスプレイパネルの一部斜視図である。図１５に示したように、第１ガラス基板１の上側に、誘電体層２及び保護膜３で覆われた走査電極４及び維持電極５が対になって平行に形成される。
【０００６】
第２ガラス基板６上には、絶縁体層７で覆われた複数のアドレス電極８が形成される。アドレス電極８の間にある誘電体層７上には、アドレス電極８と平行に隔壁９が形成されており、誘電体層７の表面及び隔壁９の両側面に蛍光体１０が形成されている。ガラス基板１、６は、走査電極４とアドレス電極８及び維持電極５とアドレス電極８が直交するように放電空間１１を隔てて対向して配置されている。アドレス電極８と対になる走査電極４及び維持電極５との交差部分にある放電空間が放電セル１２を形成する。
【０００７】
図１６はプラズマディスプレイパネルの電極の配列図である。図１６に示したように、プラズマディスプレイパネルの電極は、ｍ×ｎのマトリックス形態に配列され、具体的には、列方向にはｍ列のアドレス電極（Ａ１〜Ａｍ）が配列されており、行方向にはｎ行の走査電極（Ｙ１〜Ｙｎ）及び維持電極（Ｘ１〜Ｘｎ）がジグザグに配列されている。図１６の放電セル１２は図１５の放電セル１２に対応する。
【０００８】
一般に、このような交流型プラズマディスプレイパネルの駆動方法は、視覚的な動作変化で表現すると、リセット期間、アドレシング期間、及びサステイン（維持）期間からなる。
【０００９】
リセット期間は、セルにアドレシング動作が円滑に行われるようにするために各セルの状態を初期化する期間であり、アドレシング期間は、パネル内の発光するセルと発光しないセルとを区別して発光セル（アドレシングされたセル）にアドレス電圧を印加して壁電荷を積む期間である。サステイン期間は、サステインパルスを印加してアドレシングされたセルに実際に映像を表示するために放電する期間である。
【００１０】
図１７に示したように、プラズマディスプレイパネルでは、１フレーム（１ＴＶフィールド）を複数のサブフィールドに分け、これを時分割制御して階調を表現する。各サブフィールドは、前記リセット期間、アドレシング期間、及びサステイン期間からなる。図１７には、２５６階調を表現するために１フレームを８個のサブフィールドに分けたことを示した。各サブフィールド（ＳＦ１−ＳＦ８）は、リセット期間（図示せず）、アドレス期間（Ａ１−Ａ８）、及びサステイン期間（Ｓ１−Ｓ８）からなり、サステイン期間（Ｓ１−Ｓ８）は、発光期間（１Ｔ、２Ｔ、４Ｔ、・・・、１２８Ｔ）の比が１：２：４：８：１６：３２：６４：１２８になる。
【００１１】
この時、例えば、３という階調を表現するためには、１Ｔ発光期間を有するサブフィールドＳＦ１と２Ｔ発光期間を有するサブフィールドＳＦ２とで放電セルを放電させて、放電される期間の合計が３Ｔになるようにする。このような方法で、相異する発光期間を有するサブフィールドを組み合わせて２５６階調の映像を表示する。
【発明の開示】
【発明が解決しようとする課題】
【００１２】
しかしながら、前記のようなサブフィールド方法によって動映像を表示する時、人間の視覚特性によって疑似輪郭が発生する。図１８は具体的に疑似輪郭が発生する一例を示す図面である。階調１２７と階調１２８とが並んでいる映像が右側に速度１で動く場合、図１７のようなサブフィールドの配列により、図１８のように示される。この時、人間の視覚は映像の動きによる特性によって、図１８に示したような矢印方向に階調を認識する。従って、階調１２７と階調１２８との間に階調２５５のような疑似輪郭が発生する。
【００１３】
本発明が目的とする技術的課題は、前記従来の技術の問題を解決するためのものであって、前記疑似輪郭の発生を低減させるプラズマディスプレイパネルの駆動装置及びその階調表現方法を提供することにある。
【課題を解決するための手段】
【００１４】
前記目的を達成するための本発明の特徴によるプラズマディスプレイパネルの駆動装置は、入力映像信号に対応してプラズマディスプレイパネルに表示される各フィールドの映像を複数のサブフィールドに分け、前記複数のサブフィールドの組み合わせによって階調を表現して前記映像信号に対応する映像を表示するプラズマディスプレイパネルの駆動装置において、現在入力されるフレームと直前のフレームとの階調値及びサブフィールドの発光パターンを比較して、疑似輪郭が発生するか否かを検出する疑似輪郭検出部；前記疑似輪郭検出部によって検出された入力映像信号の疑似輪郭発生程度の情報によって、予め有している複数の階調グループ別に前記入力映像信号の階調を相異するように変換する階調グループ部；前記階調グループ部から出力される映像信号の階調と前記入力映像信号の階調との差を前記階調グループ別に相異するように誤差拡散する誤差拡散部；を含む。
【００１５】
本発明の他の特徴によるプラズマディスプレイパネルの階調表現方法は、入力映像信号に対応してプラズマディスプレイパネルに表示される各フィールドの映像を複数のサブフィールドに分け、前記複数のサブフィールドの組み合わせによって階調を表現して前記映像信号に対応する映像を表示するプラズマディスプレイパネルの階調表現方法において、（ａ）現在入力されるフレームと直前のフレームとの階調値及びサブフィールドの発光パターンを比較して、疑似輪郭が発生するか否かを検出する段階；（ｂ）前記段階（ａ）で検出された入力映像信号の疑似輪郭発生程度の情報によって、予め有している複数の階調グループ別に前記入力映像信号の階調を相異するように変換する段階；（ｃ）前記段階（ｂ）で出力される映像信号の階調と前記入力映像信号の階調との差を前記階調グループ別に相異するように誤差拡散する段階；を含む。
【発明の効果】
【００１６】
本発明によると、階調をシミュレーションによる疑似輪郭発生可能性程度によって分類し、これにより疑似輪郭の発生を低減させる最適のルックアップテーブルを備え、入力映像信号の疑似輪郭発生程度の情報によって階調を変換するルックアップテーブルを相異させて備えることによって、より一層精密に疑似輪郭の発生を低減させることができる。
【発明を実施するための最良の形態】
【００１７】
以下、添付した図面を参考にして、本発明の実施例について、本発明が属する技術分野における通常の知識を有する者が容易に実施することができるように詳細に説明する。しかし、本発明は多様な相異した形態で具現でき、ここで説明する実施例に限定されない。なお、図面においては、本発明を明確に説明するために、説明と関係のない部分は省略した。明細書全体を通じて類似した部分については同一の図面符号を付けた。
【００１８】
それでは、本発明の実施例について、添付した図面を参照して詳細に説明する。
【００１９】
図１は本発明の実施例によるプラズマディスプレイパネルの概略的な平面図である。図１に示したように、本発明の実施例によるプラズマディスプレイパネルは、プラズマパネル１００、アドレス駆動部２００、走査・維持駆動部３００、及び制御部４００を含む。
【００２０】
前記プラズマパネル１００は、列方向に配列されている複数のアドレス電極（Ａ１−Ａｍ）と行方向にジグザグに配列されている複数の走査電極（Ｙ１−Ｙｎ）及び維持電極（Ｘ１−Ｘｎ）とを含む。アドレス駆動部２００は、制御部４００からアドレス駆動制御信号を受信して、表示しようとする放電セルを選択するための表示データ信号を各アドレス電極（Ａ１−Ａｍ）に印加する。走査・維持駆動部３００は、制御部４００から制御信号を受信して、走査電極（Ｙ１−Ｙｎ）及び維持電極（Ｘ１−Ｘｎ）にサステイン電圧を交互に入力することによって、選択された放電セルに対して維持放電を行う。
【００２１】
制御部４００は、外部からＲ、Ｇ、Ｂ映像信号及び同期信号を受信して、１フレームを複数のサブフィールドに分け、各サブフィールドをリセット期間、アドレス期間、及び維持放電期間に分けてプラズマディスプレイパネルを駆動する。この時、制御部４００は、１フレームに含まれるサブフィールドの各サステイン期間に含まれるサステインパルスの個数を調節して、必要な制御信号をアドレス駆動部２００及び走査維持駆動部３００に供給する。
【００２２】
以下、図２乃至図１４を参照して本発明の実施例による制御部４００について詳細に説明する。
【００２３】
図２は本発明の実施例によるプラズマディスプレイパネルの制御部４００の概略的なブロック図である。図２に示したように、本発明の実施例によるプラズマディスプレイパネルの制御部は、疑似輪郭検出部４１０、フレームメモリ部４２０、階調グループ部４３０、誤差拡散部４４０、サブフィールド発生部４５０を含む。
【００２４】
前記疑似輪郭検出部４１０は、連続して入力される二つのフレームの入力映像信号データを利用して動映像疑似輪郭発生程度の情報を検出する。この時、連続する二つのフレームの映像信号データを利用するために、現在のフレームと直前のフレームとの映像を比較するために直前のフレームの映像信号データを保存していなければならず、フレームメモリ部４２０は直前のフレームの映像信号データを保存する。
【００２５】
疑似輪郭は、連続する二つのフレームの階調値が同程度でありながらサブフィールドの発光パターン、つまりコーディング分布の形態が異なる場合に発生する可能性が大きい。また、互いに発光パターンが異なるサブフィールドの加重値が大きいほど、動映像疑似輪郭の発生の可能性がさらに増加する。図３は動映像疑似輪郭が発生するパターンを示す一例を示す図面であって、図３の（ａ）は加重値６４の発光パターンが異なる場合の疑似輪郭量を示し、図３の（ｂ）は加重値１２８の発光パターンが異なる場合の疑似輪郭量を示す。つまり、図３の（ａ）は直前のフレームの階調が６３であり現在のフレームの階調が６４である場合に発生する疑似輪郭量を示し、図３の（ｂ）は直前のフレームの階調が１２７であり現在のフレームの階調が１２８である場合に発生する疑似輪郭を示す。図３の（ａ）及び図３の（ｂ）でグラフのピークの量は疑似輪郭量を示したものであって、図３の（ｂ）のように加重値１２８の発光パターンが異なる場合により大きな疑似輪郭が発生する。
【００２６】
前記のような原理を利用して、疑似輪郭検出部４１０は、動映像疑似輪郭発生程度を検出する。つまり、疑似輪郭検出部４１０は、直前のフレームの画素と同一な位置の現在のフレームの画素との階調に対する発光パターンを比較して、より大きな加重値の発光パターンが異なる場合に疑似輪郭が多く発生すると判断するようになる。
【００２７】
前記のような原理で疑似輪郭検出部４１０が疑似輪郭の発生を判断するより具体的な方法を説明すると、下記の通りである。任意の画素での疑似輪郭発生程度を計算する方法を数１に示した。
【００２８】
【数１】
2005122175.tif 000003
数１で、ｉｎ（ｘ、ｙ）は現在のフレームの映像信号データ（ｘ、ｙ）の位置での階調値、ｉｎ−１（ｘ、ｙ）は直前のフレーム（ｘ、ｙ）の位置での階調値を示す。Ｂｉｎ（ｐ）及びＢｉｎ−１は各々ｉｎ（ｘ、ｙ）及びｉｎ−１（ｘ、ｙ）に対するｐ番目のサブフィールドの発光パターン情報を０及び１で示したものである。そして、ＳＰ（ｐ）はｐ番目のサブフィールドの加重値を示し、ｍはサブフィールドの個数を示す。この時、直前のフレームと現在のフレームとの階調差（ｉｎ（ｘ、ｙ）−ｉｎ−１（ｘ、ｙ）の絶対値に該当する値をいう）を数１のように計算したが、これは、疑似輪郭が発生する量が直前のフレームと現在のフレームとの階調差が少ないほど増加するために、前記のように階調差を計算したのである。
【００２９】
また、ｗｅｉｇｈｔ［ｉｎ（ｘ、ｙ）］は現在の階調値によって決定される階調別の加重値を示したものである。一般に、人間の視覚は暗い領域での輝度差により敏感である。つまり、同一な疑似輪郭発生量であっても暗い領域での疑似輪郭の発生が明るい領域での疑似輪郭の発生に比べてより目につくようになる。従って、これを考慮するために、予め決定された階調別の加重値ｗｅｉｇｈｔ［ｉｎ（ｘ、ｙ）］を数１のように計算する。この時、階調別の加重値は暗い階調であるほどより大きな値に予め設定しておく。
【００３０】
前記数１は各画素別の疑似輪郭発生程度を示したものであるため、最終疑似輪発生郭程度は下記の数２の通りである。
【００３１】
【数２】
2005122175.tif 000004
数２で、Ｎはプラズマディスプレイパネルの走査線の数を示し、Ｍはアドレス線の数を示す。従って、数２によってプラズマディスプレイパネルの画面全体に対する疑似輪郭発生程度を計算できる。
【００３２】
階調グループ部４３０は、図２のようなシステムを構成する前に各階調別に疑似輪郭発生シミュレーションによって疑似輪郭発生可能性程度を評価して複数の階調グループに分類されたものを利用して、前記疑似輪郭検出部４１０によって入力映像信号の疑似輪郭発生程度の情報によって階調グループ別に入力映像信号の階調を相異するように変換する。
【００３３】
まず、疑似輪郭発生可能性程度を評価するシミュレーション方法によって階調グループを分類する方法について説明する。
【００３４】
図４は疑似輪郭発生可能性程度を評価するためにプラズマディスプレイパネルに表示する画面である。図４で左側及び右側の四角形は各々同一な階調から構成されている。図５は図４のようなテスト映像を表示した場合の各列に対する平均階調を計算して示した図面である。図５に示したように、左側の四角形部分及び右側の四角形部分の各列の平均階調は、互いに分離されることが分かる。
【００３５】
ここで、図４のようなテスト映像に対して動映像疑似輪郭発生程度を知るために、図１８で説明したような右側に動くシミュレーション方法によってシミュレーション結果の映像を計算する。この時、図４のようなテスト映像が有する階調及びサブフィールドの配列によって疑似輪郭が発生したり発生しない。図６（Ａ）は疑似輪郭が発生しない場合の各列の平均階調を示す図面であり、図６（Ｂ）は疑似輪郭が発生する場合の各列の平均階調を示す図面である。疑似輪郭が発生しない場合はシミュレーション結果の各列の平均階調は図６（Ａ）のような各列の平均階調値を有し、疑似輪郭が発生する場合は図１５のシミュレーション結果の各列の平均階調は図６（Ｂ）のように源映像の階調値の範囲を逸脱する階調値を有する。
【００３６】
図４乃至図６で示したテスト映像のシミュレーション結果を利用して当該テスト映像の疑似輪郭発生可能性程度をＦＣ（Ｐ、Ｑ）で示し、疑似輪郭発生可能性程度は下記の数式３を通じて評価する。
【００３７】
【数３】
2005122175.tif 000005
前記数３で、Ｐ及びＱは図４のようなテスト映像の左側、右側の階調を示し、Ｍａｘ＿ＦＣ及びＭｉｎ＿ＦＣはシミュレーション映像の各列の平均階調の最大値及び最小値を示す。また、ｍａｘ（Ｐ、Ｑ）はＰ、Ｑのうちの高い値を意味し、ｍｉｎ（Ｐ、Ｑ）はＰ、Ｑのうちの低い値を意味する。つまり、図４乃至図６で示した過程によって得られたシミュレーション結果を前記数３に適用して、源階調Ｐ、Ｑの範囲を逸脱する程度を評価して、疑似輪郭量を決定する。
【００３８】
例えば、サブフィールドの配列が［１  ２  ４  ８  １６  ３２  ４２  ４４  ５２  ５４］で、Ｐ＝６３、Ｑ＝６４である場合に発光パターンが図７のようであると仮定する。このような場合に、シミュレーションによって得られた各列の平均階調値は図８のように計算される。この時、ｍａｘ（Ｐ、Ｑ）＝６４、ｍｉｎ（Ｐ、Ｑ）＝６３となり、図８から分かるように、Ｍａｘ＿ＦＣ＝７１、Ｍｉｎ＿ＦＣ＝６３となる。従って、数３でＦＣ（Ｐ、Ｑ）＝Ｍａｘ＿ＦＣ−ｍａｘ（Ｐ、Ｑ）＝７１−６４＝７となる。他の例として、Ｐ＝１００、Ｑ＝１０１である場合にシミュレーション結果がＭａｘ＿ＦＣ＝１０１、Ｍｉｎ＿ＦＣ＝１００である場合、ｍａｘ（Ｐ、Ｑ）＝１０１、ｍｉｎ（Ｐ、Ｑ）＝１００となるため、数３から分かるように、ＦＣ（Ｐ、Ｑ）＝０となって疑似輪郭が発生しないと判断される。
【００３９】
前記のような方法で、シミュレーション結果（図４乃至図６）及び数３により疑似輪郭発生可能性程度の評価をＰが２５６階調、Ｑが２５６階調である場合に対して行って、これを全て考慮して２５６×２５６の場合の全てに対してＦＣ（Ｐ、Ｑ）を計算する。２５６×２５６の場合の全てに対して計算されたＦＣ（Ｐ、Ｑ）に基づいて、各階調別の疑似輪郭発生可能性程度を下記の数４によって計算する。
【００４０】
【数４】
2005122175.tif 000006
前記数４で、ｘは任意の階調を示し、ＰやＱのうちの階調ｘを有する階調に対してＦＣ（Ｐ、Ｑ）を全て足した値で階調ｘに対する疑似輪郭発生可能性程度を評価する。前記数４によって２５６階調に対して各階調別の疑似輪郭発生可能性程度を計算すれば、その値によって複数の階調グループに分類される。例えば、３つのグループに分類する時には、下記の数５を満たす条件によって分類する。
【００４１】
【数５】
2005122175.tif 000007
前記数５を満たす全階調の階調ｘを分類して３つの階調グループに分類する。この時、分類される階調グループは必ずしも３つのグループである必要はなく、さらに精密な疑似輪郭発生の低減のために３つ以上のグループに分類することもできる。前記数５で、階調グループ１の場合は疑似輪郭の最大値より小さい場合であるので、全ての階調を満たして２５６階調となる。階調グループ２の場合は疑似輪郭が非常に大きな階調を除く残りの階調を意味する。階調グループ３の場合は疑似輪郭が少量の階調も除く残りの階調となる。つまり、階調グループ２に比べて階調グループ３が疑似輪郭発生可能性が少ない。そして、階調数では、一般に、階調グループ３が階調グループ２に比べて少ない。
【００４２】
ここで、前記階調グループ部４３０は、前記で示したように各階調を複数の階調グループに分類し、各階調グループ別に疑似輪郭の発生を低減させるために、階調を変換するルックアップテーブルを各々有する。つまり、階調グループ部４３０は、階調グループ部１（４３２）、階調グループ部２（４３４）、階調グループ部３（４３６）を含み、前記のようなシミュレーション結果に基づいて決定された階調グループによって各階調グループ部１、２、３（４３２、４３４、４３６）別に入力階調を変換するルックアップテーブルを相異させて有する。
【００４３】
図９〜１４は各階調グループ部のルックアップテーブルの一例を示す。図９〜１４に示したように、各階調グループ部１、２、３（４３２、５３４、４３６）は、同一な入力階調に対して出力階調を相異させて有する。例えば、１５０、１５１に対して階調グループ部３の出力は１４９になるようにルックアップテーブルが構成されている。これは、１５０、１５１が階調グループ３に属しないので、階調グループ３に属するように入力１５０、１５１に近接した１４９で出力する。このように、階調グループ部１、２、３（４３２、４３４、４３６）は、階調グループごとに各々疑似輪郭の発生を低減させるための出力階調値が相異するルックアップテーブルを有して入力階調を変換する。ここで、前記図９〜１４に示したルックアップテーブルは本発明の一例を示したものであって、本発明はこれに限定されない。
【００４４】
つまり、前記疑似輪郭検出部４１０によって入力映像信号の疑似輪郭発生程度を検出した結果により疑似輪郭がほとんど発生しない場合には前記階調グループ部１（４３２）を使用して階調を変換し、疑似輪郭が多く発生する場合には階調グループ部３（４３６）を使用して階調を変換する。そして、擬似輪郭が中間程度発生する場合には階調グループ部２（４３２）を使用して階調を変換する。この時、各階調グループ部（４３２、４３４、４３６）は、前記シミュレーション結果により計算した値による疑似輪郭発生可能性程度によって各階調に対する変換値を有するルックアップテーブルを有し、これによって階調を変換して疑似輪郭の発生を低減させる。
【００４５】
この時、前記階調グループ部４４０の出力階調値は入力階調値と誤差がある。また、前記誤差は階調グループ部４４０に含まれた階調グループ部１、２、３（４４２、４４４、４４６）によって異なる。このような誤差を補償するために、前記図２に示したように誤差拡散部４４０が存在する。
【００４６】
誤差拡散部４４０は、階調グループの分類により各々の誤差が相異するのを補償するために、誤差拡散部１（４４２）、誤差拡散部２（４４４）、誤差拡散部３（４４６）を含む。この時、階調グループが３つ以上に分類される場合には、前記誤差拡散部もそれに基づいて個数が変わる。前記誤差拡散部４４０は、各誤差拡散部１、２、３（４４２、４４４、４４６）を含み、各階調グループ部４３２、４３４、４３６によって出力される値が異なるので、階調差、つまり誤差が異なるため、それにあう誤差を補償するために、発生した誤差を周囲画素に伝播して各々誤差拡散を行う。誤差拡散に対する詳細な説明は、大韓民国公開特許公報特２００２−００１４７６６号に記載されているので、具体的な説明は省略する。
【００４７】
サブフィールド発生部４５０は、前記誤差拡散部４４０から出力される映像信号データに合うサブフィールドを生成する。つまり、誤差拡散部４４０によって出力される映像信号に対応して各サブフィールド（異なる加重値を有する各サブフィールドを意味する）のオン／オフを判断して、サブフィールドを生成する。
【００４８】
サブフィールド発生部４５０によって出力されるサブフィールドのデータは、ＰＤＰ駆動部５００、つまりアドレス駆動部２００及び走査・維持駆動部３００に伝送されて、プラズマディスプレイパネル１００に表示される。
【００４９】
以上で、本発明の好ましい実施例について詳細に説明したが、本発明の権利範囲はこれに限定されず、請求の範囲で定義している本発明の基本概念を利用した当業者の様々な変形及び改良形態も本発明の権利範囲に属する。
【図面の簡単な説明】
【００５０】
【図１】本発明の実施例によるプラズマディスプレイパネルの概略的な平面図である。
【図２】本発明の実施例によるプラズマディスプレイパネルの制御部の概略的なブロック図である。
【図３】疑似輪郭が発生するパターンの一例を示す図である。
【図４】疑似輪郭発生可能性程度を評価するためにプラズマディスプレイパネルに表示する画面を示す図である。
【図５】図４のようなテスト映像を表示した場合の各列の平均階調を計算して示した図である。
【図６】（Ａ）は疑似輪郭が発生しない場合の各列の平均階調を示す図であり、（Ｂ）は疑似輪郭が発生する場合の各列の平均階調を示す図である。
【図７】サブフィールドの配列の一例として、６３及び６４階調の発光パターンを示す図である。
【図８】図７のような階調及び発光パターンで計算された各列の平均階調を示す図である。
【図９】階調グループ部が有するルックアップテーブルの一例を示す。
【図１０】階調グループ部が有するルックアップテーブルの一例を示す。
【図１１】階調グループ部が有するルックアップテーブルの一例を示す。
【図１２】階調グループ部が有するルックアップテーブルの一例を示す。
【図１３】階調グループ部が有するルックアップテーブルの一例を示す。
【図１４】階調グループ部が有するルックアップテーブルの一例を示す。
【図１５】交流型プラズマディスプレイパネルの一部斜視図である。
【図１６】プラズマディスプレイパネルの電極の配列を示す図である。
【図１７】プラズマディスプレイパネルの階調表現方法を示す図である。
【図１８】疑似輪郭が発生する一例を示す図面である。
【符号の説明】
【００５１】
１００  プラズマディスプレイ
２００  アドレス駆動部
３００  走査・維持駆動部
４００  制御部
【図１】
2005122175.tif 000008
【図２】
2005122175.tif 000009
【図３】
2005122175.tif 000010
【図４】
2005122175.tif 000011
【図５】
2005122175.tif 000012
【図６】
2005122175.tif 000013
【図７】
2005122175.tif 000014
【図８】
2005122175.tif 000015
【図９】
2005122175.tif 000016
【図１０】
2005122175.tif 000017
【図１１】
2005122175.tif 000018
【図１２】
2005122175.tif 000019
【図１３】
2005122175.tif 000020
【図１４】
2005122175.tif 000021
【図１５】
2005122175.tif 000022
【図１６】
2005122175.tif 000023
【図１７】
2005122175.tif 000024
【図１８】
2005122175.tif 000025